(57)【要約】【課題】電源電圧の低下に応じて、複数の無線信号処理部を個別に停止すること。【解決手段】無線回路（１００）は、複数の無線信号処理部（１０６、１０７、１０８）と、使用無線信号処理部を選択する選択手段（１１１）と、電力を供給する供給手段（１０１）と、該供給手段が供給する電力の電圧に応じて無線信号処理部を該使用無線信号処理部から除外する選択変更手段（１１２、１１３）と、を備えている。【選択図】図１
2014147056.tif 000002
【特許請求の範囲】
【請求項１】
個別に終止電圧が設定された複数の無線信号処理部と、
該複数の無線信号処理部から、動作させるべき使用無線信号処理部を選択する選択手段と、
該使用無線信号処理部の各々に対して電力を供給する供給手段と、
該供給手段が供給する電力の電圧が、該使用無線信号処理部のうちの少なくとも一つの無線信号処理部に設定された終止電圧以下となったときに、当該少なくとも一つの無線信号処理部を該使用無線信号処理部から除外する選択変更手段と、を備えていることを特徴とする無線回路。
【請求項２】
上記選択変更手段は、上記使用無線信号処理部から除外した無線信号処理部に替えて、当該除外した無線信号処理部よりも終止電圧が低く設定された無線信号処理部を上記使用無線信号処理部として選択することを特徴とする請求項１に記載の無線回路。
【請求項３】
上記選択変更手段は、上記使用無線信号処理部の各々に設定された終止電圧のうち最も高い最高終止電圧と、上記供給手段が供給する電力の電圧とを比較することを特徴とする請求項１または２に記載の無線回路。
【請求項４】
個別に終止電圧が設定された複数の無線信号処理部を備えた無線回路の制御方法であって、
該複数の無線信号処理部から、動作させるべき使用無線信号処理部を選択する選択工程と、
該使用無線信号処理部の各々に対して電力を供給する供給工程と、
該供給工程において供給する電力の電圧が、該使用無線信号処理部のうちの少なくとも一つの無線信号処理部に設定された終止電圧以下となったときに、当該少なくとも一つの無線信号処理部を該使用無線信号処理部から除外する選択変更工程と、を包含することを特徴とする無線回路の制御方法。
【発明の詳細な説明】
【技術分野】
【０００１】
本発明は、複数の信号処理部を備えた無線回路に関する。
【背景技術】
【０００２】
携帯電話、スマートフォンなどの無線端末の主電源は、二次電池（バッテリー）である。無線端末の使用時間が増加することに伴いバッテリー電圧は低下し、使用可能な機能が限定される可能性がある。
【０００３】
無線端末が備える機能は、無線通信処理を必要するか否かという観点から分類することができる。無線通信処理を必要とする機能の例としては、通話機能、メール送受信機能、ｗｅｂページ閲覧機能などがある。また、無線端末の位置情報を利用する機能、および、無線を介してキーボードなどのハードウェアを無線端末に接続する機能も、無線通信処理を必要とする機能の例である。一方、無線通信処理を必要としない機能の例としては、メモ、スケジュールや電話帳の管理、無線端末に保存されているコンテンツの閲覧などがある。
【０００４】
特許文献１には、電池の供給する電圧が低下し、ユーザが移動電話装置（無線端末）の備える通信機能を利用できない状態でも、通信機能以外の機能を利用できる移動電話装置が記載されている。具体的には、ＣＰＵは、移動電話装置の通信機能を停止する電圧レベルと、全機能を実質的に停止する電圧レベルとを記憶装置に保持している。ＣＰＵは、電池から供給される電圧のレベルが、通信機能を停止する電圧レベルより低いときに、無線通信処理装置の動作を停止させる一方で、通信機能を利用しない一定の処理を実行可能とする。
【先行技術文献】
【特許文献】
【０００５】
【特許文献１】特開２０００−１５１８０１（２０００年５月３０日公開）
【発明の概要】
【発明が解決しようとする課題】
【０００６】
上述のように、特許文献１の技術では、通信機能を停止する電圧レベルと、電池から供給される電圧レベル（以下において、単に電源電圧とも表現する）とを比較することによって、通信機能を停止するか否かを決定する。
【０００７】
一方、近年の無線端末においては、複数種類の通信機能を備えていることが一般的である。たとえば、無線通信方式を例にしても、ＧＳＭ（登録商標）（Global System for Mobile Communications）、ＵＭＴＳ（Universal Mobile Telecommunications System）、ＬＴＥ（Long Term Evolution）など、複数の通信方式が利用されている。ユーザの利便性を向上させるために、無線端末は、これら複数の無線通信方式をサポートしていることが多い。言い換えれば、ＧＳＭ（登録商標）、ＵＭＴＳおよびＬＴＥの各無線通信方式をサポートする無線端末は、各無線通信方式に準拠した無線通信を実現するために、複数の無線信号処理部を備えている。
【０００８】
複数の無線信号処理部を備えている無線端末に対して特許文献１の記載内容を適用した技術は、電源電圧が低下する際に、各無線信号処理部が果たす各通信機能を個別に停止させることができないという課題を有する。本発明は、上記の課題を解決するためになされたものであり、複数の無線信号処理部を備えている無線端末において、電源電圧の低下に応じて、複数の無線信号処理部を個別に停止可能な無線回路を提供することである。
【課題を解決するための手段】
【０００９】
上記の課題を解決するために、本発明の一態様に係る無線回路は、本発明の態様１に係る無線回路は、個別に終止電圧が設定された複数の無線信号処理部と、該複数の無線信号処理部から、動作させるべき使用無線信号処理部を選択する選択手段と、該使用無線信号処理部の各々に対して電力を供給する供給手段と、該供給手段が供給する電力の電圧が、該使用無線信号処理部のうちの少なくとも一つの無線信号処理部に設定された終止電圧以下となったときに、当該少なくとも一つの無線信号処理部を該使用無線信号処理部から除外する選択変更手段と、を備えていることを特徴としている。
【発明の効果】
【００１０】
本発明の一態様によれば、電源電圧の低下に応じて、複数の無線信号処理部を個別に停止させることができ、バッテリーを有効に使用できるという効果を奏する。
【図面の簡単な説明】
【００１１】
【図１】本発明の実施形態に係る無線端末の要部構成を示すブロック図である。
【図２】本発明の実施形態に係る無線端末が備える制御部の要部構成を示すブロック図である。
【図３】本発明の実施形態における無線回路に供給されるバッテリー電圧の時間依存性、および、各終止電圧を示す図である。
【図４】本発明の実施形態における無線回路の制御方法の一例を説明するフローチャートである。
【図５】本発明の実施形態における無線方式選択処理の一例を説明するフローチャートである。
【図６】本発明の実施形態における終止電圧設定処理の一例を説明するフローチャートである。
【図７】本発明の実施形態における電源処理の一例を説明するフローチャートである。
【図８】本発明の実施形態における無線方式切替処理の一例を説明するフローチャートである。
【図９】本発明の実施形態に係る無線端末において、２つの無線信号処理部が駆動されている際に、それぞれに供給される駆動電圧が停止する様子を示す図である。
【発明を実施するための形態】
【００１２】
〔実施形態１〕
以下、本発明の一実施形態（実施形態１）について、図１〜８を参照して詳細に説明する。図１は、実施形態１に係る無線端末１０の要部構成を示すブロック図である。無線端末１０は、無線回路１００と、無線回路１００を駆動する電源であるバッテリー１２０とを備えている。無線回路１００は、電源制御部（供給手段）１０１、バッテリー電圧検出部（選択変更手段）１０２、制御部（選択手段、選択変更手段）１０３、ＲＦＩＣ１０５およびＰＡ（パワーアンプ、無線信号処理部）１０６〜１０８を備えている。また、無線回路１００は、ベースバンド部を備えている。無線端末１０は、他に、図示しない入力手段、表示手段などを備えていてもよい。
【００１３】
ＲＦＩＣ１０５は、送信するための無線信号を変調して出力する。ＰＡ１０６〜１０８は、ＲＦＩＣ１０５からの無線信号を増幅する。ＲＦＩＣ１０５は、３つの出力端子からＧＳＭ（登録商標）、ＵＭＴＳおよびＬＴＥの各無線通信方式に準拠した無線信号を出力可能なように構成されており、当該３つの出力端子は、ＰＡ１０６〜１０８にそれぞれ接続されている。すなわち、実施形態１に係る無線回路１００は、ＧＳＭ（登録商標）に準拠した無線信号ＣＳ１を出力するＰＡ１０６を備えた第１の無線信号処理部、ＵＭＴＳに準拠した無線信号ＣＳ２を出力するＰＡ１０７を備えた第２の無線信号処理部、およびＬＴＥに準拠した無線信号ＣＳ３を出力するＰＡ１０８を備えた第３の無線信号処理部を備えている。
【００１４】
表１に示すように、ＰＡ１０６を用いる際には、ＰＡ１０６の駆動電圧Ｖｃｃ１ｉｎを、電源制御部１０１がＰＡ１０６に供給する。同様に、ＰＡ１０７を用いる際には、駆動電圧Ｖｃｃ２ｉｎを電源制御部１０１がＰＡ１０７に供給し、ＰＡ１０８を用いる際には、駆動電圧Ｖｃｃ３ｉｎを電源制御部１０１がＰＡ１０８に供給する。なお、終止電圧については後述する。
【００１５】
【表１】
2014147056.tif 000003
【００１６】
図２は、無線端末１０が備える制御部１０３の要部構成を示すブロック図である。制御部１０３は、レジスタ１０４、無線方式選択部（選択手段）１１１、終止電圧設定部（選択変更手段）１１２、電源処理部（選択変更手段）１１３および無線方式切替部（選択変更手段）１１４を備えている。制御部１０３が備える各部材における処理については、別の図を参照しながら後述する。なお、レジスタ１０４は、無線方式選択レジスタ１０４ａおよび終止電圧設定レジスタ１０４ｂを備えている。
【００１７】
図３は、無線回路１００に供給されるバッテリー電圧（電源電圧）Ｖｃｃの時間依存性、および、各無線信号処理部における終止電圧の一例を示す図である。より具体的には、曲線１２１は、バッテリー１２０から無線回路１００が備える電源制御部１０１に供給されるバッテリー電圧Ｖｃｃの時間依存性を示す曲線である。
【００１８】
図３に示すＶｃｃ１ｓは、ＧＳＭ（登録商標）に準拠した無線信号ＣＳ１を出力するＰＡ１０６の終止電圧である。また、Ｖｃｃ２ｓはＵＭＴＳに準拠した無線信号ＣＳ２を出力するＰＡ１０７の終止電圧であり、Ｖｃｃ３ｓは、ＬＴＥに準拠した無線信号ＣＳ３を出力するＰＡ１０８の終止電圧である。
【００１９】
本明細書において「終止電圧」とは、各無線信号処理部等に供給される電圧において、各無線信号処理部等の動作を停止すべき電圧を指す。したがって、終止電圧Ｖｃｃ１ｓには、駆動電圧Ｖｃｃ１ｉｎにおいて、ＰＡ１０６の動作を停止すべき電圧が設定されており、終止電圧Ｖｃｃ２ｓには、駆動電圧Ｖｃｃ２ｉｎにおいて、ＰＡ１０７の動作を停止すべき電圧が設定されており、終止電圧Ｖｃｃ３ｓには、駆動電圧Ｖｃｃ３ｉｎにおいて、ＰＡ１０８の動作を停止すべき電圧が設定されている。なお、図３に示す終止電圧Ｖｃｃ４ｓには、駆動電圧Ｖｃｃ４ｉｎにおいて、無線回路１００が備えるベースバンド部の動作を停止すべき電圧が設定されている。本実施形態において、各終止電圧Ｖｃｃ１ｓ〜Ｖｃｃ４ｓの大小関係は、Ｖｃｃ１ｓ＞Ｖｃｃ２ｓ＞Ｖｃｃ３ｓ＞Ｖｃｃ４ｓであるとして説明を進める。
【００２０】
バッテリー１２０は、充電によって蓄えられる電力エネルギーを放出する二次電池である。したがって、充電されない限り、バッテリー１２０のバッテリー電圧Ｖｃｃは、無線端末１０の使用時間の経過とともに減少する。使用時間ｔ＝ｔ１において、バッテリー電圧Ｖｃｃは、ＰＡ１０６の終止電圧Ｖｃｃ１ｓと等しくなる。さらに使用時間が増加すると、バッテリー電圧Ｖｃｃはさらに減少し、ｔ＝ｔ２においてＶｃｃ＝Ｖｃｃ２ｓになり、ｔ＝ｔ３においてＶｃｃ＝Ｖｃｃ３ｓになり、ｔ＝ｔ４においてＶｃｃ＝Ｖｃｃ４ｓになる。バッテリー電圧Ｖｃｃならびに各終止電圧Ｖｃｃ１ｓ〜Ｖｃｃ４ｓに応じた実際の処理については、別の図を参照しながら後述する。
【００２１】
（無線回路１００における処理の概要）
図４を参照しながら、制御部１０３による無線回路１００の制御方法の概要について説明する。図４は、無線回路１００の制御方法の一例を説明するフローチャートである。無線端末１０の電源をＯＮにすると、終止電圧設定部１１２（図２参照）は、終止電圧ＲＦ＿Ｖｃｃの設定を初期化する（ステップＳ１００）。このとき、終止電圧設定部１１２は、各終止電圧Ｖｃｃ１ｓ〜Ｖｃｃ４ｓのうち、もっとも高い終止電圧を終止電圧ＲＦ＿Ｖｃｃに設定すればよい。すなわち、本実施形態において、終止電圧設定部１１２は、終止電圧ＲＦ＿Ｖｃｃの初期化において、ＲＦ＿Ｖｃｃ＝Ｖｃｃ１ｓに設定する。なお、ＲＦ＿Ｖｃｃ＝Ｖｃｃ１ｓに設定するとは、終止電圧設定部１１２が、終止電圧設定レジスタ１０４ｂに、終止電圧Ｖｃｃ１ｓを書き込むことを意味する。
【００２２】
無線方式選択部１１１（図２参照）は、ＧＳＭ（登録商標）、ＵＭＴＳおよびＬＴＥの中から、いずれか１つの無線通信方式を選択する（ステップＳ１０２）。無線通信方式を選択する無線方式選択処理については後述するが、ここでは、無線方式選択部１１１がＵＭＴＳを選択したものとして説明を進める。なお、無線方式選択部１１１がＵＭＴＳを選択するとは、無線方式選択部１１１が、無線方式選択レジスタ１０４ａにＵＭＴＳを書き込むことを意味する。
【００２３】
終止電圧設定処理部１１２は、無線方式選択部１１１によって選択されたＵＭＴＳの無線信号ＣＳ２を出力するＰＡ１０７の終止電圧Ｖｃｃ２ｓを終止電圧ＲＦ＿Ｖｃｃに設定する（ステップＳ１０４）。電源処理部１１３（図２参照）は、バッテリー電圧Ｖｃｃと、終止電圧ＲＦ＿Ｖｃｃとを比較し、バッテリー電圧Ｖｃｃが終止電圧ＲＦ＿Ｖｃｃ以下であるか否かを判別する（ステップＳ１０６）。バッテリー電圧Ｖｃｃが終止電圧ＲＦ＿Ｖｃｃ以下である場合、電源処理部１１３は、ＰＡ１０７への駆動電圧の供給を停止するように電源制御部１０１を制御する。また、制御部１０３は、ＰＡ１０７の終止電圧Ｖｃｃ２ｓより低い終止電圧（たとえば終止電圧Ｖｃｃ３ｓ）を終止電圧ＲＦ＿Ｖｃｃに設定し、ＰＡ１０８を用いて無線通信を継続する構成であってもよい。なお、ここでは、まず無線方式選択処理Ｓ１０２が実行され、次いで終止電圧設定処理Ｓ１０４および電源確認処理Ｓ１０６が実行される例を示したが、各処理が実行される順番はこれに限定されるものではない。以下では、図５〜８を参照しながら、無線方式選択処理Ｓ１０２、終止電圧設定処理Ｓ１０４および電源確認処理Ｓ１０６のより詳細な例について説明する。
【００２４】
（無線方式選択処理）
図５を参照しながら、制御部１０３が備える無線方式選択部１１１（図２参照）における無線方式選択処理Ｓ１０２の一例について説明する。図５は、無線方式選択処理の一例を説明するフローチャートである。
【００２５】
たとえば、無線端末１０のメニュー画面から、ユーザが無線方式選択を選択することによって、無線方式選択処理が読み出される。無線方式選択処理が開始されると、無線方式選択部１１１は、無線方式切換コマンドを受信する（ステップＳ１１１）。無線方式切換コマンドには、「自動判別」、「ＧＳＭ（登録商標）」および「ＵＭＴＳ」の３つが存在する。
【００２６】
無線方式切換コマンドが「自動判別」であるか否かを判別する（ステップＳ１１２）。無線方式切換コマンドが「自動判別」であるならば、無線方式選択部１１１は、図１に図示しないＧＰＳ等の位置情報取得手段から、無線端末１０の位置情報を取得する（ステップＳ１１３）。さらに、無線方式選択部１１１は、取得した位置情報から、無線端末１０の位置において利用可能な無線通信の方法を選択する（ステップＳ１１４）。ここで、上記位置情報が、複数の無線通信方式を利用可能な位置を表すものであった場合、無線方式選択部１１１は、無線通信方式として最も終止電圧の高いＰＡを使用する無線方式を選択する。たとえば、無線端末１０が、ＧＳＭ（登録商標）およびＵＭＴＳという２つの無線通信方式を利用可能な位置に存在する場合、無線方式選択部１１１は、無線通信方式としてＧＳＭ（登録商標）を選択する。なぜなら、図３に示すように、ＰＡ１０６の終止電圧Ｖｃｃ１ｓ、および、ＰＡ１０７の終止電圧Ｖｃｃ２ｓの大小関係は、Ｖｃｃ１ｓ＞Ｖｃｃ２ｓだからである。無線方式選択部１１１は、選択した無線通信方式であるＧＳＭ（登録商標）を、無線方式選択レジスタ１０４ａに書き込む（ステップＳ１１８）。なお、無線方式切換コマンドが「自動判別」である場合には、無線方式選択部１１は、選択した無線通信方式とともに、無線方式切換コマンドが「自動判別」であることを無線方式選択レジスタ１０４ａに書き込む。
【００２７】
無線方式切換コマンドが「自動判別」でない（ステップＳ１１２においてＮＯ）ならば、無線方式選択部１１１は、無線方式切換コマンドが「ＧＳＭ（登録商標）」であるか否かを判別する（ステップＳ１１５）。無線方式切換コマンドが「ＧＳＭ（登録商標）」であるならば、無線方式選択部１１１は、ＧＳＭ（登録商標）を無線通信方式として選択し、無線方式選択レジスタ１０４ａにＧＳＭ（登録商標）を書き込む（ステップＳ１１８）。無線方式切換コマンドが「ＧＳＭ（登録商標）」でない（ステップＳ１１５においてＮＯ）ならば、無線方式選択部１１１は、無線方式切換コマンドが「ＵＭＴＳ」であるか否かを判別する（ステップＳ１１６）。無線方式切換コマンドが「ＵＭＴＳ」であるならば、無線方式選択部１１１は、ＵＭＴＳを無線通信方式として選択し、無線方式選択レジスタ１０４ａにＵＭＴＳを書き込む（ステップＳ１１８）。無線方式切換コマンドが「ＵＭＴＳ」でない（ステップＳ１１６においてＮＯ）ならば、無線方式選択部１１１は、ＬＴＥを無線通信方式として選択する（ステップＳ１１７）。さらに、無線方式選択部１１１は、選択した無線通信方式であるＬＴＥを無線方式選択レジスタ１０４ａに書き込む（ステップＳ１１８）。以上のように、無線方式選択部１１１が選択した無線通信方式を無線方式選択レジスタ１０４ａに書き込むことによって、無線方式選択処理は終了する。
【００２８】
なお、無線方式選択部１１１が無線方式切換コマンドを選択する処理は、上記のフローに限定されるものではない。たとえば、ステップＳ１１５およびＳ１１６に加えて、無線方式切換コマンドが「ＬＴＥ」であるか否かを判別するステップを含んでもよい。
【００２９】
また、無線方式選択部１１１が、無線方式切換コマンドを「ＧＳＭ（登録商標）」、「ＵＭＴＳ」および「ＬＴＥ」のいずれであるかを判別する順番は、ＰＡ１０６、ＰＡ１０７およびＰＡ１０８の終止電圧であるＶｃｃ１ｓ、Ｖｃｃ２ｓおよびＶｃｃ３ｓの大小関係に応じて設定されている。すなわち、無線方式切換コマンドの各判別ステップは、各無線方式が用いるデバイスの終止電圧が高い無線方式から順番に実行されている。上述した各判別ステップの実行順はあくまでも一例であり、「ＧＳＭ（登録商標）」、「ＵＭＴＳ」および「ＬＴＥ」に対応する終止電圧Ｖｃｃ１ｓ、Ｖｃｃ２ｓおよびＶｃｃ３ｓの大小関係が変化すれば、それに応じて各判別ステップの実行順も変更される。
【００３０】
（終止電圧設定処理）
図６を参照しながら、制御部１０３が備える終止電圧設定部１１２（図２参照）における無線方式選択処理Ｓ１０４の一例について説明する。図６は、終止電圧設定処理の一例を説明するフローチャートである。本実施形態においては、無線方式選択部１１１が選択した無線通信方式を無線方式選択レジスタ１０４ａに書き込むことをトリガーとして、終止電圧設定処理が起動される。
【００３１】
終止電圧設定処理が起動されると、終止電圧設定部１１２は、無線方式選択レジスタ１０４ａを参照し、無線通信方式を取得する（ステップＳ１２０）。さらに、終止電圧設定部１１２は、無線方式選択レジスタ１０４ａの内容に変更があるか否かを判別する（ステップＳ１２１）。なお、終止電圧設定部１１２は、新しく取得した無線通信方式と、以前に取得した無線通信方式とを比較するために、以前に取得した無線通信方式を格納するバッファを備えていてもよい。無線方式選択レジスタ１０４ａの内容に変更がなければ（ステップＳ１２１においてＮＯ）、終止電圧設定処理は終了する。
【００３２】
一方、無線方式選択レジスタ１０４ａの内容に変更があれば（ステップＳ１２１においてＹＥＳ）、終止電圧設定部１１２は、無線通信方式がＧＳＭ（登録商標）であるか否かを判別する（ステップＳ１２２）。無線通信方式がＧＳＭ（登録商標）であれば（ＹＥＳ）、終止電圧設定部１１２は、終止電圧ＲＦ＿Ｖｃｃを、ＲＦ＿Ｖｃｃ＝Ｖｃｃ１ｓと設定する（ステップＳ１２３）。なお、本実施形態において、ＲＦ＿Ｖｃｃ＝Ｖｃｃ１ｓと設定するとは、終止電圧設定レジスタ１０４ｂに、終止電圧Ｖｃｃ１ｓを書き込むことを意味する。以下において、異なる終止電圧を書き込む場合においても同様に表現する。無線通信方式がＧＳＭ（登録商標）でないならば（ステップＳ１２２においてＮＯ）、終止電圧設定部１１２は、無線通信方式がＵＭＴＳであるか否かを判別する（ステップＳ１２４）。無線通信方式がＵＭＴＳであれば（ＹＥＳ）、終止電圧設定部１１２は、終止電圧ＲＦ＿Ｖｃｃを、ＲＦ＿Ｖｃｃ＝Ｖｃｃ２ｓと設定する（ステップＳ１２５）。
【００３３】
無線通信方式がＵＭＴＳでないならば（ステップＳ１２４においてＮＯ）、終止電圧設定部１１２は、無線通信方式がＬＴＥであると判別し、終止電圧ＲＦ＿Ｖｃｃを、ＲＦ＿Ｖｃｃ＝Ｖｃｃ３ｓと設定する（ステップＳ１２６）。
【００３４】
以上のように、終止電圧設定部１１２が実行する終止電圧設定処理は、無線方式選択レジスタ１０４ａに書き込まれている無線通信方式に応じて、好適な終止電圧Ｖｃｃ１ｓ〜Ｖｃｃ３ｓのいずれかを、終止電圧ＲＦ＿Ｖｃｃとして設定する。
【００３５】
（電源確認処理）
図７を参照しながら、制御部１０３が備える電源処理部１１３（図２参照）における電源確認処理Ｓ１０６の一例について説明する。図７は、電源処理の一例を説明するフローチャートである。電源処理部１１３は、無線端末１０の電源がＯＮである間、定期的に電源処理を実行する構成であってもよい。電源処理部１１３は、バッテリー電圧検出部１０２を参照して、バッテリー電圧Ｖｃｃを取得する（ステップＳ１３０）。さらに、電源処理部１１３は、終止電圧Ｖｃｃ４ｓがバッテリー電圧Ｖｃｃ未満（Ｖｃｃ４ｓ＜Ｖｃｃ）であるか否かを判別する（ステップＳ１３１）。バッテリー電圧Ｖｃｃが終止電圧Ｖｃｃ４ｓ未満である場合（ステップＳ１３１においてＮＯ）、電源処理部１１３は、ベースバンド部の電源をＯＦＦにすることを、ユーザに対して警告する（ステップＳ１３２）。電源処理部１１３は、当該警告のために、警告内容を表すテキストを、無線端末１０の表示部に表示させてもよいし、警告音を無線端末１０の音声出力部から出力させてもよい。
【００３６】
電源処理部１１３は、ベースバンド部の諸設定データを、無線端末１０が備える記憶手段（図１には図示せず）に記憶させる（ステップＳ１３３）。続いて、電源処理部１１３は、ベースバンド部の電源をＯＦＦにする（ステップＳ１３４）。なお、本実施形態では、ベースバンド部の終止電圧を、単一のＶｃｃ４ｓとしているが、ベースバンド部における機能に応じて複数の終止電圧を設定しておき、段階的にベースバンド部の各機能を停止させる構成であってもよい。
【００３７】
バッテリー電圧Ｖｃｃが終止電圧Ｖｃｃ４ｓ以上であれば（ステップＳ１３１においてＹＥＳ）、電源処理部１１３は、終止電圧設定レジスタ１０４ｂを参照し、終止電圧ＲＦ＿Ｖｃｃを取得する（ステップＳ１３５）。続いて、電源処理部１１３は、終止電圧ＲＦ＿Ｖｃｃがバッテリー電圧Ｖｃｃ未満（ＲＦ＿Ｖｃｃ＜Ｖｃｃ）であるか否かを判別する（ステップＳ１３６）。ＲＦ＿Ｖｃｃ＜Ｖｃｃであれば（ステップＳ１３６においてＹＥＳ）、電源処理部１１３は、電源処理を終了する。ＲＦ＿Ｖｃｃ＜Ｖｃｃでなければ（ステップＳ１３６においてＮＯ）、電源処理部１１３は、ＲＦ＿Ｖｃｃに対応するＰＡへの電源供給を停止することを、ユーザに対して警告する（ステップＳ１３７）。電源処理部１１３は、当該警告のために、警告内容を表すテキストを、無線端末１０の表示部に表示させてもよいし、警告音を無線端末１０の音声出力部から出力させてもよい。その後、電源処理部１１３は、ＲＦ＿Ｖｃｃに対応するＰＡへの電源供給を停止する（ステップＳ１３８）。本実施形態においては、ＲＦ＿Ｖｃｃに対応するＰＡへの電源供給を停止することをトリガーとして、ステップＳ１３９として無線方式切換処理が実行される。
【００３８】
（無線方式切換処理）
図８を参照しながら、制御部１０３が備える無線方式切替部１１４（図２参照）における無線方式切換処理の一例について説明する。図８は、無線方式切換処理の一例を説明するフローチャートである。無線方式切替部１１４は、無線方式選択レジスタ１０４ａを参照し、無線方式切換コマンドを取得する（ステップＳ１４０）。
【００３９】
無線方式切替部１１４は、無線方式切換コマンドが「自動判別」であるか否かを判別する（ステップＳ１４１）。無線方式切換コマンドが「自動判別」でない場合（ＮＯ）、無線方式切替部１１４は、無線方式切換処理を終了する。本実施形態における無線方式切換処理は、無線方式切換コマンドが「自動判別」である場合にのみ有効となる。「自動判別」である場合、無線端末は、無線端末を使用するユーザーから通信方式を指定されていない。よって、複数の通信方式が使用できる場所において、無線方式切替部１１４は、バッテリーの残量（バッテリー電圧電圧Ｖｃｃ）に応じて、より低電圧で動作可能な無線方式を選択することができる。よって、無線端末の使用時間を延ばすことができる。無線方式切換コマンドが「自動判別」である場合（ステップＳ１４１においてＹＥＳ）、無線方式切替部１１４は、終止電圧ＲＦ＿ＶｃｃがＶｃｃ１ｓである（ＲＦ＿Ｖｃｃ＝Ｖｃｃ１ｓ）か否かを判別する（ステップＳ１４２）。
【００４０】
ＲＦ＿Ｖｃｃ＝Ｖｃｃ１ｓである場合（ステップＳ１４２においてＹＥＳ）、無線方式切替部１１４は、無線通信方式としてＵＭＴＳを選択（無線方式選択レジスタ１０４ａにＵＭＴＳを書き込む）する（ステップＳ１４３）。次に、無線方式切替部１１４は、終止電圧ＲＦ＿Ｖｃｃを、ＲＦ＿Ｖｃｃ＝Ｖｃｃ２ｓと設定する（ステップＳ１４４）。図８のフローチャートには記載していないが、ステップＳ１４４に続いて、無線方式切替部１１４は、ＰＡ１０７に電源を供給するための制御信号を、電源制御部１０１に送信する。また、ベースバンド部は、通信方式の切り替えに伴い通信制御およびプロトコル等の切り替えを実施する。これらの技術は、既知の内容であるため、ここでは説明を省略する。以上の無線方式切換処理によって、バッテリー電圧Ｖｃｃが終止電圧に設定されていた終止電圧Ｖｃｃ１ｓ以下になった場合においても、新たな無線通信方式としてＵＭＴＳを選択し、終止電圧ＲＦ＿Ｖｃｃを、ＲＦ＿Ｖｃｃ＝Ｖｃｃ２ｓと設定することによって、無線端末１０は、無線通信を継続することが可能となる。
【００４１】
ＲＦ＿Ｖｃｃ＝Ｖｃｃ１ｓでない場合（ステップＳ１４２においてＮＯ）、無線方式切替部１１４は、終止電圧ＲＦ＿ＶｃｃがＶｃｃ２ｓである（ＲＦ＿Ｖｃｃ＝Ｖｃｃ２ｓ）か否かを判別する（ステップＳ１４５）。ＲＦ＿Ｖｃｃ＝Ｖｃｃ２ｓである場合（ステップＳ１４５においてＹＥＳ）、無線方式切替部１１４は、無線通信方式としてＬＴＥを選択（無線方式選択レジスタ１０４ａにＬＴＥを書き込む）する（ステップＳ１４６）。次に、無線方式切替部１１４は、終止電圧ＲＦ＿Ｖｃｃを、ＲＦ＿Ｖｃｃ＝Ｖｃｃ３ｓと設定する（ステップＳ１４７）。図８のフローチャートには記載していないが、ステップＳ１４７に続いて、無線方式切替部１１４は、ＰＡ１０８に電源を供給するための制御信号を、電源制御部１０１に送信する。以上の無線方式切換処理によって、バッテリー電圧Ｖｃｃが終止電圧に設定されていた終止電圧Ｖｃｃ２ｓ以下になった場合においても、新たな無線通信方式としてＬＴＥを選択し、終止電圧ＲＦ＿Ｖｃｃを、ＲＦ＿Ｖｃｃ＝Ｖｃｃ３ｓと設定することによって、無線端末１０は、無線通信を継続することが可能となる。
【００４２】
ＲＦ＿Ｖｃｃ＝Ｖｃｃ２ｓでない場合（ステップＳ１４５においてＮＯ）、無線方式切替部１１４は、無線方式切換処理を終了する。この場合、ＲＦ＿Ｖｃｃ＝Ｖｃｃ３ｓであり、Ｖｃｃ３ｓより小さい終止電圧を有するＰＡは存在しないためである。
【００４３】
（変形例１）
以上では、供給される電圧に応じて動作および停止を制御する対象が、出力系のＰＡ１０６〜１０８である場合について説明したが、本実施形態はこれに限定されず、ＲＦＩＣ１０５における対応する出力回路の動作および停止を制御してもよいし、受信系のＰＡや高周波回路についても、同様に、供給される電圧に応じて動作および停止を制御してもよい。
【００４４】
（変形例２）
以上では、通信方式に応じて複数のパワーアンプ（ＰＡ１０６〜ＰＡ１０８）を使い分けたが、周波数帯に応じて複数のパワーアンプ（ＰＡ１０６〜ＰＡ１０８）を使い分けるように無線回路１００を構成してもよい。使い分ける複数のパワーアンプの終止電圧に差があるのであれば、周波数帯に応じてパワーアンプを切り替える構成であっても同様の効果を奏する。
【００４５】
〔実施形態２〕
以下、本発明の一実施形態（実施形態２）について、図９を参照して詳細に説明する。実施形態１においては、３つのＰＡ１０６〜ＰＡ１０８のうち、いずれか１つのＰＡを用いて無線通信を行っているが、本発明は、これに限定されるものではない。本実施形態では、３つのＰＡ１０６〜ＰＡ１０８のうち、ＰＡ１０７およびＰＡ１０８を用いて無線通信を行う場合について説明する。図９は、無線端末１０において、ＰＡ１０７およびＰＡ１０８が同時に駆動されている際に、それぞれに供給される駆動電圧が停止する様子を示す図である。また、ＰＡ１０６〜ＰＡ１０８のうち２つのＰＡを用いて無線通信を行う場合に、電源制御部１０１が出力する駆動電圧、および、終止電圧に設定される終止電圧を表２に示す。
【００４６】
【表２】
2014147056.tif 000004
【００４７】
ＰＡ１０７およびＰＡ１０８を利用する場合（図９参照）に、電源制御部１０１は、駆動電圧Ｖｃｃ２ｉｎをＰＡ１０７に供給し、駆動電圧Ｖｃｃ３ｉｎをＰＡ１０８に供給する。図９において、曲線１２２は、ＰＡ１０７に供給される駆動電圧Ｖｃｃ２ｉｎを示し、曲線１２３は、ＰＡ１０８に供給される駆動電圧Ｖｃｃ３ｉｎを示す。ＰＡ１０７の終止電圧Ｖｃｃ２ｓと、ＰＡ１０８の終止電圧Ｖｃｃ３ｓとを比較した場合、Ｖｃｃ２ｓ＞Ｖｃｃ３ｓである。したがって、終止電圧設定部１１２は、より大きい終止電圧Ｖｃｃ２ｓを第１の終止電圧に設定する。
【００４８】
図９において、ｔ＝０から無線端末１０の使用を開始したとする。ｔ＝ｔ１においてバッテリー電圧Ｖｃｃは低下するものの、Ｖｃｃ＝Ｖｃｃ１ｓであり、Ｖｃｃは第１の終止電圧を上回っている。したがって、停止させられるＰＡはなく、ＰＡ１０７およびＰＡ１０８は動作している。時間の経過に伴いバッテリー電圧Ｖｃｃは更に低下し、ｔ＝ｔ２においてバッテリー電圧Ｖｃｃは、第１の終止電圧に到達する。よって、電源処理部１１３は、ＰＡ１０７への駆動電圧Ｖｃｃ２ｉｎを停止するように電源制御部１０１を制御し、ＰＡ１０７を停止させる。終止電圧設定部１１２は、第１の終止電圧であるＶｃｃ２ｓより低電圧であるＶｃｃ３ｓを第２の終止電圧に設定する。ｔ＝ｔ２において、バッテリー電圧Ｖｃｃは第２の終止電圧であるＶｃｃ３ｓより高いため、ＰＡ１０８は、その動作を継続することができる。さらに時間が経過し、ｔ＝ｔ３となるとバッテリー電圧Ｖｃｃは、第２の終止電圧に到達する。よって、電源処理部１１３は、ＰＡ１０８への駆動電圧Ｖｃｃ３ｉｎを停止するように電源制御部１０１を制御し、ＰＡ１０８を停止させる。
【００４９】
以上のように、複数のＰＡが駆動されている場合においても、終止電圧設定部１１２は、駆動されているＰＡに対応する終止電圧のうち、もっとも高い終止電圧を終止電圧に設定することが好ましい。当該構成によれば、無線端末１０において使用時間の増加に伴いバッテリー電圧Ｖｃｃが低下した際に、駆動電圧の高いＰＡから順番に停止させることが可能になる。
【００５０】
〔まとめ〕
本発明の態様１に係る無線回路は、個別に終止電圧が設定された複数の無線信号処理部（ＰＡ１０６、１０７および１０８）と、該複数の無線信号処理部から、動作させるべき使用無線信号処理部を選択する選択手段（無線方式選択部１１１）と、該使用無線信号処理部の各々に対して電力を供給する供給手段（電源制御部１０１）と、該供給手段が供給する電力の電圧が、該使用無線信号処理部のうちの少なくとも一つの無線信号処理部に設定された終止電圧以下となったときに、当該少なくとも一つの無線信号処理部を該使用無線信号処理部から除外する選択変更手段（終止電圧設定部１１２および電源処理部１１３）と、を備えている。
【００５１】
上記の構成によれば、複数の無線信号処理部を備えている無線端末において、選択手段は、該複数の無線信号処理部から、動作させるべき使用無線信号処理部を選択する。選択変更手段は、供給手段が供給する電力の電圧が、該使用無線信号処理部のうちの少なくとも一つの無線信号処理部に設定された終止電圧以下となったときに、当該少なくとも一つの無線信号処理部を該使用無線信号処理部から除外する。よって、上記の構成によれば、複数の無線信号処理部を備えている無線端末において、電源電圧の低下に応じて、使用無線信号処理部のうちの一部の無線信号処理部の動作を停止し、当該無線信号処理部に対する電力の供給を停止することができるので、バッテリーの有効利用が可能である。
【００５２】
本発明の態様２に係る無線回路は、上記態様１において、上記選択変更手段（ここでは、さらに加えて通信方式切換部１１４）は、上記使用無線信号処理部から除外した無線信号処理部に替えて、当該除外した無線信号処理部よりも終止電圧が低く設定された無線信号処理部を上記使用無線信号処理部として選択するように構成してもよい。
【００５３】
上記の構成によれば、供給手段が供給する電力の電圧が、該使用無線信号処理部のうちの少なくとも一つの無線信号処理部に設定された終止電圧以下となったときに、選択変更手段は、当該少なくとも一つの無線信号処理部よりも終止電圧が低く設定された別の無線信号処理部を上記使用無線信号処理部として選択することができる。よって、上記の構成によれば、少なくとも一つ無線信号処理部が使用無線信号処理部から除外された場合であっても、異なる無線信号処理部を用いて無線通信を継続することができる。
【００５４】
本発明の態様３に係る無線回路は、上記態様１または２において、上記選択変更手段は、上記使用無線信号処理部の各々に設定された終止電圧のうち最も高い最高終止電圧と、上記供給手段が供給する電力の電圧（Ｖｃｃ）とを比較するように構成してもよい。
【００５５】
上記の構成によれば、供給手段が供給する電力の電圧が低下する際に、選択変更手段は、使用無線信号処理部のうち最も高い最高終止電圧を有する使用無線信号処理部を停止することができる。よって、上記の構成によれば、電源電圧の低下に応じて、首尾よく、使用無線信号処理部のうちの一部の無線信号処理部の動作を停止し、当該無線信号処理部に対する電力の供給を停止することができる。
【００５６】
本発明の態様４に係る無線回路の制御方法は、個別に終止電圧が設定された複数の無線信号処理部を備えた無線回路の制御方法であって、該複数の無線信号処理部から、動作させるべき使用無線信号処理部を選択する選択工程と、該使用無線信号処理部の各々に対して電力を供給する供給工程と、該供給工程において供給する電力の電圧が、該使用無線信号処理部のうちの少なくとも一つの無線信号処理部に設定された終止電圧以下となったときに、当該少なくとも一つの無線信号処理部を該使用無線信号処理部から除外する選択変更工程と、を包含している。
【００５７】
上記の構成によれば、本発明の態様１に係る無線回路と同等の効果を奏する。
【産業上の利用可能性】
【００５８】
本発明は、無線端末の製造分野において利用することができる。
【符号の説明】
【００５９】
１０    無線端末
１００    無線回路
１０１    電源制御部（供給手段）
１０２    バッテリー電圧検出部（選択変更手段）
１０３    制御部（選択手段、選択変更手段）
１０４    レジスタ
１０５    ＲＦＩＣ
１０６、１０７、１０８    パワーアンプ（無線信号処理部）
１１１    無線方式選択部（選択手段）
１１２    終止電圧設定部（選択変更手段）
１１３    電源処理部（選択変更手段）
１１４    無線方式切替部（選択変更手段）
１２０    バッテリー
【図１】
2014147056.tif 000005
【図２】
2014147056.tif 000006
【図３】
2014147056.tif 000007
【図４】
2014147056.tif 000008
【図５】
2014147056.tif 000009
【図６】
2014147056.tif 000010
【図７】
2014147056.tif 000011
【図８】
2014147056.tif 000012
【図９】
2014147056.tif 000013